【事件の表示】
　特願２００４−１６３８９９「電解コンデンサおよびその製造方法」拒絶査定不服審判事件〔平成１７年１２月１５日出願公開、特開２００５−３４７４２７〕について、次のとおり審決する。
【結　論】
　本件審判の請求は、成り立たない。
【理　由】
１．手続の経緯
　本件特許出願は、平成１６年６月１日の出願であって、平成２２年２月１６日付けの拒絶理由通知に対して同年４月２６日付けで手続補正がなされ、同年７月２０日付けで通知した拒絶理由には意見書のみ提出があったところ、平成２３年１月１３日付けで拒絶査定され（前記平成２２年７月２０日付けで通知した拒絶の理由による）、これに対し同年４月１９日付けで拒絶査定不服審判が請求されると同時に手続補正がなされたものである。
　その後、平成２３年１２月１６日付けで前置報告書を利用した審尋をしたところ、平成２４年２月１３日付けで回答書が提出された。
　
　
２．平成２３年４月１９日付けの手続補正についての補正却下の決定
　［補正却下の決定の結論］ 
　　平成２３年４月１９日付けの手続補正を却下する。 
　
　［理由］ 
　平成２３年４月１９日付けの手続補正（以下、「本件補正」という。）は、補正前の特許請求の範囲（平成２２年４月２６日付けで手続補正）が、
（ａ）「【請求項１】外部引出リード線と平板部より構成される外部引出端子が、それぞれ陽極箔と陰極箔に接続され、これらの陽極箔と陰極箔をセパレータを介して、漸次径大となるように巻回して形成したコンデンサ素子を有底筒状の外装ケースに収納してなる電解コンデンサにおいて、
　対向する直線部と円弧部からなる長円形状に巻回した巻芯部と、
　この巻芯部に巻回された一対の対向する外部引出端子とからなり、
　巻芯部の長径軸方向の端部と、外部引出端子の平板部の幅手方向の少なくとも一方の端部とが仮想円を形成するコンデンサ素子を備えた電解コンデンサ。
　【請求項２】前記外部引出端子の平板部の外周側の角部にテーパ部または曲線部を形成した請求項１に記載の電解コンデンサ。
　【請求項３】陽極箔の先端部を巻芯部の直線部に配置して巻回したコンデンサ素子を備える請求項１または２のいずれかに記載の電解コンデンサ。
　【請求項４】静電容量と化成電圧の積（ＣＶ積）が４００μＦ・Ｖ／ｃｍ２以上で、厚さが９０μｍから１２０μｍの箔を陽極として用いた請求項１ないし３のいずれかに記載の電解コンデンサ。
　【請求項５】外部引出リード線と平板部より構成される外部引出端子が、それぞれ陽極箔と陰極箔に接続され、これらの陽極箔と陰極箔をセパレータを介して、漸次径大となるように巻回して形成したコンデンサ素子を有底筒状の外装ケースに収納してなる電解コンデンサの製造方法において、
　断面形状が、対向する平行な直線部と円弧部からなる略長円形とした巻軸を用いてコンデンサ素子を巻回し、コンデンサ素子の巻芯部を略長円形として巻回するとともに、外部引出端子を、略長円形状の巻芯部の短径軸上に配置して、コンデンサ素子の巻芯部の長径軸方向の端部と外部引出端子の両端とを仮想円の円周上に配置する電解コンデンサの製造方法。」とあったものを、
（ｂ）「【請求項１】外部引出リード線と平板部より構成される外部引出端子が、それぞれ陽極箔と陰極箔に接続され、これらの陽極箔と陰極箔をセパレータを介して、漸次径大となるように巻回して形成したコンデンサ素子を有底筒状の外装ケースに収納してなる電解コンデンサの製造方法において、
　断面形状が、対向する平行な直線部と円弧部からなる略長円形とし、かつ対向する平行な直線部が前記外部引出端子よりも長く形成された巻軸を用いてコンデンサ素子を巻回し、
　コンデンサ素子の巻芯部を略長円形として巻回するとともに、外部引出端子を、略長円形状の巻芯部の短径軸上に配置して、コンデンサ素子の巻芯部の長径軸方向の端部と外部引出端子の両端とを仮想円の円周上に配置する電解コンデンサの製造方法。
　【請求項２】前記外部引出端子の平板部の外周側の角部にテーパ部または曲線部を形成した請求項１に記載の電解コンデンサの製造方法。
　【請求項３】陽極箔の先端部を巻芯部の直線部に配置して巻回したコンデンサ素子を備える請求項１または２のいずれかに記載の電解コンデンサの製造方法。
　【請求項４】静電容量と化成電圧の積（ＣＶ積）が４００μＦ・Ｖ／ｃｍ２以上で、厚さが９０μｍから１２０μｍの箔を陽極として用いた請求項１ないし３のいずれかに記載の電解コンデンサの製造方法。」と補正するものである。
　
　すると、本件補正後の請求項１ないし４は、「電解コンデンサの製造方法」に関する発明であるから、本件補正前の請求項１ないし４に記載された「電解コンデンサ」に関する発明は、本件補正により削除されたものと解することができる。
　そして、本件補正後の請求項１は、補正前の特許請求の範囲において唯一「電解コンデンサの製造方法」に関する発明であった請求項５を請求項１としてさらに限定を加えたものと解することができる。
　しかしながら、本件補正後の「電解コンデンサの製造方法」に関する発明である請求項２ないし４については、本件補正前に対応する請求項が存在しなかったもので、新たに追加されたものと解するほかないから、平成１８年法律第５５号改正附則第３条第１項によりなお従前の例によるとされる同法による改正前の特許法第１７条の２第４項各号に規定されたいずれを目的とするものにも該当しない。 
　以上のとおりであるから、本件補正は、平成１８年法律第５５号改正附則第３条第１項によりなお従前の例によるとされる同法による改正前の特許法第１７条の２第４項の規定に違反するものであって、同法第１５９条第１項において読み替えて準用する同法第５３条第１項の規定により却下すべきものである。 
　
　
３．本願発明について 
　平成２３年４月１９日付けの手続補正は上記のとおり却下されたので，本件特許出願の請求項１ないし５に係る発明は、平成２２年４月２６日付けで手続補正された特許請求の範囲の請求項１ないし５に記載された事項により特定されるとおりのものと認められるところ，そのうち請求項５に係る発明（以下、「本願発明」という。）は、上記「２．（ａ）」の請求項５に記載したとおりである。
　
（１）引用例
　原査定の拒絶の理由に引用された特開平１１−１７６６８８号公報（以下、「引用例」という。）には、図面と共に次の事項が記載されている（なお、下線は当審で付けした。）。
ア．「【０００１】
【発明の属する技術分野】本発明は、
電解コンデンサ等のコンデンサ
電子部品リード線のタブ
陽極箔、陰極箔及び絶縁紙を重ね合わせて巻き上げることにより、該タブ近傍の隙間をなくしてコンデンサ素子の外形を極力円形に近く巻き上げられるようにして、コンデンサ素子の外周面と有底容器の内周面との間の隙間が円周方向で均一化されるようにし、同一容積の有底容器により長い陽極箔、陰極箔及び絶縁紙を巻いたコンデンサ素子を収納できるようにして、高容量化を可能としたコンデンサ
　                            ．
イ．「【０００３】例えば、直径５ｍｍφ、長さ７ｍｍの大きさのコンデンサ１０に使用されるコンデンサ素子１は、
内径４．４ｍｍφの有底容器９内に収納
　
ウ．【００１３】【発明の実施の形態】以下本発明を図面に示す実施例に基いて説明する。本発明に係る
第１実施例のコンデンサ２０のコンデンサ素子２１
長方形断面の上面２２ａの両角部が、該上面２２ａとのなす角度１３５°の角度に面取りして面取り部２２ｂが形成された梯形断面とされたタブ２２を備え、上面２２ａと平行な底面２２ｃが夫々陽極箔２３及び陰極箔２４にタブ付けされて固着されてい
【００１４】上記形状のタブ２２が固着された陽極箔２３及び陰極箔２４を用いたコンデンサ素子２１は、
まず絶縁紙２５を絶縁紙リール（図示せず）から引き出し、巻取り軸２８の二股部２８ａで挟持して１巻きした後、絶縁紙２５の間に陽極箔２３及び陰極箔２４を夫々挟み込んで所定の長さだけ巻き取り、
【００１５】即ち、
角部が面取りされて面取り部２２ｂが形成されていることにより、タブ２２周辺に生じる隙間Ｓ
３
を従来の長方形断面のタブに比較して大幅に少なくすることができ、これによって外形を円形に近づけて有底容器２９に収納
　
エ．「【００２０】本発明は、上記のように構成されており、以下その作用について説明する。本発明の第１実施例のコンデンサ２０は、図１において、上面２２ａの両角部が１３５°の角度に
面取りされて面取り部２２ｂが形成された梯形断面のタブ２２が夫々固着された陽極箔２３及び陰極箔２４を、絶縁紙２５と共に直径１．５ｍｍφ、幅１ｍｍの小判形の巻取り軸２８に巻き取って製作され
絶縁紙２５、陽極箔２３及び陰極箔２４は面取り部２２ｂに沿って巻かれるので、タブ２２の角部で折れ曲がることなく巻き取られ
またタブ２２が挟持されることによる厚さ（０．２１ｍｍ）方向の膨らみは、巻取り軸２８の小判形状によって吸収されるので外形を円形に近似した形状に巻き上げることができる
　
オ．図１の横断面図には、小判形状の巻取り軸２８の両短辺の位置に、平板状タブ２２が図示されている。
　絶縁紙２５、陽極箔２３及び陰極箔２４が、巻取り軸２８に倣って巻き上げられた層と、タブが狭持されて、タブの形状に倣って巻き上げられた絶縁紙２５、陽極箔２３及び陰極箔２４の層が図示されている。
　
　前記アないしオによれば、引用例には次の発明（以下、「引用例発明」という。）が記載されている。
「電子部品リード線のタブが夫々固着された陽極箔、陰極箔及び絶縁紙が重ね合わせられ、巻き上げられて形成されたコンデンサ素子を、内径４．４ｍｍφの有底容器内に収納する電解コンデンサの製造方法において、
　コンデンサ素子は、
　長方形断面の上面の両角部が面取りされたタブの、底面が固着された陽極箔及び陰極箔を用い、
　陽極箔及び陰極箔を、絶縁紙と共に直径１．５ｍｍφ、幅１ｍｍの小判形状の巻取り軸に巻き取って製作され、
　絶縁紙、陽極箔及び陰極箔は、面取り部に沿ってタブの角部で折れ曲がることなく巻き取られ、また、タブが挟持されることによる膨らみは、巻取り軸の小判形状によって吸収され、外形が円形に近似した形状に巻き上げられる
　電解コンデンサの製造方法。」
　
（３）対比
ａ．引用例発明と本願発明とで、「コンデンサ素子」及び「電解コンデンサ」は共通する。
　引用例発明の「電子部品リード線」は、本願発明の「リード線」に相当する。
　引用例発明と本願発明とで「陽極箔」及び「陰極箔」は共通し、引用例発明の「絶縁紙」は、本願発明の「セパレータ」に相当する。
　引用例発明の「タブ」は、「陽極箔」「陰極箔」に固着され、長方形断面の形状である点で、本願発明の「陽極箔」「陰極箔」に接続された「平板部」に相当する。
　引用例発明の「電子部品リード線のタブ」は、リード線を形成している点で、本願発明の「リード線と平板部より構成される」「端子」に相当する。
　引用例発明の「内径４．４ｍｍφの有底容器」は、本願発明の「有底筒状の外装ケース」に相当する。
　してみると、引用例発明の「電子部品リード線のタブが夫々固着された陽極箔及び陰極箔及び絶縁紙とが重ね合わせられ、巻き上げられて形成されたコンデンサ素子を、内径４．４ｍｍφの有底容器内に収納する電解コンデンサの製造方法」は、本願発明の「リード線と平板部より構成される」「端子が、それぞれ陽極箔と陰極箔に接続され、これらの陽極箔と陰極箔をセパレータを介して、漸次径大となるように巻回して形成したコンデンサ素子を有底筒状の外装ケースに収納してなる電解コンデンサの製造方法」に相当する。
　
b．引用例発明の「巻取り軸」は、本願発明の「巻軸」に相当する。
　引用例発明の「巻取り軸」が「小判形状」であることは、本願発明の「巻軸」の形状において、少なくとも「略長円形」である点において一致している。
　引用例発明の「巻取り軸」の「直径１．５ｍｍφ、幅１ｍｍの小判形状」の「直径１．５ｍｍφ」部分は、本願発明の「略長円形とした巻軸」の、「円弧部」であり、「長径軸方向」の部分に相当する。
　引用例発明の「巻取り軸」の「幅１ｍｍ」部分は、「直径１．５ｍｍφ」部分よりより短い点で、本願発明の「巻軸」における「短径軸上」に相当する。
　引用例発明の「コンデンサ素子は、長方形断面の上面の両角部が面取りされたタブの、底面が固着された陽極箔及び陰極箔を用い、陽極箔及び陰極箔を、絶縁紙と共に直径１．５ｍｍφ、幅１ｍｍの小判形状の巻取り軸に巻き取って製作され」は、巻取り軸に巻き取られた絶縁紙、陽極箔及び陰極箔は、直径１．５ｍｍφ、幅１ｍｍの小判形状に倣い、略長円形に形成される点で、本願発明の「断面形状が」、「円弧部からなる略長円形とした巻軸を用いてコンデンサ素子を巻回し、コンデンサ素子の巻芯部を略長円形として巻回する」ことに相当する。
　
ｃ．引用例発明の「絶縁紙、陽極箔及び陰極箔は、面取り部に沿ってタブの角部で折れ曲がることなく巻き取られ、また、タブが挟持されることによる膨らみは、巻取り軸の小判形状によって吸収され、外形が円形に近似した形状に巻き上げられる」ことは、直径１．５ｍｍφ、幅１ｍｍの小判形状に近似して巻取られた絶縁紙、陽極箔及び陰極箔の層の、巻取り軸の幅１mmに対応する両側に、タブが配置され、絶縁紙、陽極箔及び陰極箔の層の小判形状の長辺の両端と、タブの両角部の面取りとで円に近い形が形成される点で、本願発明の「端子を、略長円形状の巻芯部の短径軸上に配置して、コンデンサ素子の巻芯部の長径軸方向の端部と」「端子の両端とを仮想円の円周上に配置する」ことに相当する。
　
　以上のことから、引用例発明と本願発明の一致点及び相違点は、次のとおりである。
＜一致点＞
「リード線と平板部より構成される端子が、それぞれ陽極箔と陰極箔に接続され、これらの陽極箔と陰極箔をセパレータを介して、漸次径大となるように巻回して形成したコンデンサ素子を有底筒状の外装ケースに収納してなる電解コンデンサの製造方法において、
　断面形状が、円弧部からなる略長円形とした巻軸を用いてコンデンサ素子を巻回し、コンデンサ素子の巻芯部を略長円形として巻回するとともに、端子を、略長円形状の巻芯部の短径軸上に配置して、コンデンサ素子の巻芯部の長径軸方向の端部と端子の両端とを仮想円の円周上に配置する電解コンデンサの製造方法。」
である点。
　
〈相違点〉
相違点ａ
　リード線と端子を、本願発明は「外部引出」と特定するのに対して、引用例発明はこのように特定していない点。
相違点ｂ
　円弧部からなる略長円形とした巻軸を、本願発明は「対向する平行な直線部とからなる」ことを特定するのに対して、引用例発明はこのように特定してない点。
　
（４）当審の判断
相違点ａについて
　電解コンデンサにおいて、電極タブが、外部引出リード線とで構成され、外部引出端子を形成していることは周知(特公昭４２−１１１８１号公報の電極タブ６と外部端子用リード線（銅線２）、実願昭５２−４４５１０号（実開昭５３−１３９５３５号）のマイクロフィルムの偏平部１３と引出端子１４とリード線１２、実願昭５４−１６１３０４号(実開昭５６−７８５５２号）のマイクロフィルムの偏平部２と引出端子１の構成等を参照。)である。
　引用例発明の電解コンデンサにおいて、タブが外部引出リード線と接続されるように、外部引出リード線とタブより構成される外部引出端子を形成することは、周知技術を参照することにより当業者が容易になしうることである。
　　
相違点ｂについて
　引用例発明の巻取り軸は、「小判形」と特定されているが、「直径１．５ｍｍφ、幅１ｍｍ」との特定もあるもので、図面を参照しても、直径１．５ｍｍの円形状を幅１ｍｍに切り出したものといえるから、前記「幅」は、「対向する平行な直線部」についての特定であることが明らかであり、相違点ｂは、単に、表記上で異なるにすぎず、実質的な相違ではないか、仮に、引用発明から前記「対向する平行な直線部」が把握できないとしても、引用例の記載を、図面も含めて参照することにより、当業者が適宜採用しうる形状にすぎないものである。
　
　以上のとおり、各相違点は、格別なものとすることができず、また、本願発明が奏する効果が顕著なものと認める根拠もない。
　
（５）むすび
　以上のとおりであるから、本願発明は、引用例に記載された発明及び周知技術に基づいて、当業者が容易に発明をすることができたものであり、特許法第２９条第２項の規定により特許を受けることができないのである。
　したがって、その他の請求項について論及するまでもなく、本件特許出願は拒絶すべきものである。
　よって、結論のとおり審決する。